(57)【要約】【課題】スイング感を向上することができるバドミントンラケットフレームを提供する。【解決手段】バドミントンラケットフレームは、先端１ａおよび後端１ｂを有し、かつ平面視において環状の打球部１と、打球部１の後端１ｂに接続されたシャフト部２と、シャフト部２に接続されたグリップ部３とを備えている。打球部１は、シャフト部２に接続された接続部分１１と、接続部分１１に接続された本体部分１２とを含んでいる。打球部１の全周の１０％以上の領域において、平面視における本体部分１２の幅である正面幅Ｗが６ｍｍ以上１０ｍｍ以下であり、側面視における本体部分の幅である側面幅Ｔが７ｍｍ以上１３ｍｍ以下であり、かつ正面幅Ｗに対する側面幅Ｔの比が０．７以上１．３以下である。【選択図】図１
2015008890.tif 000002
【特許請求の範囲】
【請求項１】
先端および後端を有し、かつ平面視において環状の打球部と、
前記打球部の前記後端に接続されたシャフト部と、
前記シャフト部に接続されたグリップ部とを備え、
前記打球部は、前記シャフト部に接続された接続部分と、前記接続部分に接続された本体部分とを含み、
前記打球部の全周の１０％以上の領域において、平面視における前記本体部分の幅である正面幅が６ｍｍ以上１０ｍｍ以下であり、側面視における前記本体部分の幅である側面幅が７ｍｍ以上１３ｍｍ以下であり、かつ前記正面幅に対する前記側面幅の比が０．７以上１．３以下である、バドミントンラケットフレーム。
【請求項２】
平面視における前記先端および前記後端を通る前記打球部の中心線の両側において前記先端を０度とし前記後端を１８０度としたときに、前記０度から１５０度までの範囲において、前記正面幅が６ｍｍ以上１０ｍｍ以下であり、前記側面幅が７ｍｍ以上１３ｍｍ以下であり、かつ前記正面幅に対する前記側面幅の比が０．７以上１．３以下である、請求項１に記載のバドミントンラケットフレーム。
【請求項３】
前記中心線の両側において前記先端を０度とし前記後端を１８０度としたときに、３０度から６０度までの範囲における前記正面幅および１２０度から１５０度の範囲における前記正面幅は前記０度における前記正面幅よりも大きい、請求項２に記載のバドミントンラケットフレーム。
【請求項４】
前記接続部分の最大径は前記本体部分の最大径よりも大きい寸法を有している、請求項１〜３のいずれか１項に記載のバドミントンラケットフレーム。
【発明の詳細な説明】
【技術分野】
【０００１】
本発明は、バドミントンラケットフレームに関するものである。
【背景技術】
【０００２】
バドミントンラケットフレームは、ガットが張られる打球部と、グリップ部と、打球部とグリップ部とを連結するシャフト部とを有している。この打球部は環状のフレーム部材によって構成されている。従来、このフレーム部材には様々な形状が提案されている。
【０００３】
たとえば、特表２０００−５０５７１２号公報（特許文献１）には、バドミントンラケットに適用可能なスポーツラケットフレームが開示されている。そして、この公報には、スポーツラケットフレームのフレーム部材の断面形状および各部の寸法などが開示されている。
【先行技術文献】
【特許文献】
【０００４】
【特許文献１】特表２０００−５０５７１２号公報
【発明の概要】
【発明が解決しようとする課題】
【０００５】
バドミントンラケットフレームをスイングする際のスイング感の向上が求められている。このスイング感はバドミントンラケットフレームをスイングした時の風切り音の周波数によって規定される。本発明者らは、バドミントンラケットフレームをスイングした時の風切り音の周波数が高いほどスイング感の評価が高いことを見出した。
【０００６】
しかし、上記公報に記載されたスポーツラケットフレームでは、スイングした時の風切り音の周波数を高くすることは困難であるため、スイング感を向上することができない。
【０００７】
本発明は上記課題を鑑みてなされたものであり、その目的は、スイング感を向上することができるバドミントンラケットフレームを提供することである。
【課題を解決するための手段】
【０００８】
本発明のバドミントンラケットフレームは、先端および後端を有し、かつ平面視において環状の打球部と、打球部の後端に接続されたシャフト部と、シャフト部に接続されたグリップ部とを備えている。打球部は、シャフト部に接続された接続部分と、接続部分に接続された本体部分とを含んでいる。打球部の全周の１０％以上の領域において、平面視における本体部分の幅である正面幅が６ｍｍ以上１０ｍｍ以下であり、側面視における本体部分の幅である側面幅が７ｍｍ以上１３ｍｍ以下であり、かつ正面幅に対する側面幅の比が０．７以上１．３以下である。
【０００９】
発明者らはバドミントンラケットフレームはスイング時にシャフト部の軸線方向に旋回するため、打球部の本体部分の正面幅だけでなく側面幅もスイングした時の風切り音の周波数に影響することを見出した。そして、打球部の全周の１０％以上の領域において、本体部分の正面幅が６ｍｍ以上１０ｍｍ以下であり、本体部分の側面幅が７ｍｍ以上１３ｍｍ以下であり、かつ正面幅に対する側面幅の比が０．７以上１．３以下であることで、スイングした時の風切り音の周波数を高くすることによってスイング感を向上することができることを発明者らは知得した。
【００１０】
上記のバドミントンラケットフレームでは、平面視における先端および後端を通る打球部の中心線の両側において先端を０度とし後端を１８０度としたときに、０度から１５０度までの範囲において、正面幅が６ｍｍ以上１０ｍｍ以下であり、側面幅が７ｍｍ以上１３ｍｍ以下であり、かつ正面幅に対する側面幅の比が０．７以上１．３以下である。これにより、スイングした時の風切り音の周波数を高くすることによってスイング感を向上することができることを発明者らは知得した。ここで、上記の角度は先端と後端との中点を回転中心とした場合の角度である。
【００１１】
上記のバドミントンラケットフレームでは、中心線の両側において先端を０度とし後端を１８０度としたときに、３０度から６０度までの範囲における正面幅および１２０度から１５０度の範囲における正面幅は０度における正面幅よりも大きい。ガットが張られた打球部では、中心線の両側において４５度付近および１３５度付近の部分に応力が大きく作用するため、これらの四隅の部分において打球部が変形しやすい。上記のバドミントンラケットフレームでは、中心線の両側において３０度から６０度までの範囲における正面幅および１２０度から１５０度の範囲における正面幅を０度における正面幅よりも大きくすることで、これらの範囲の剛性を向上させることができる。これにより、変形しやすい四隅の部分の剛性を向上させることによって、打球部の変形を効果的に抑制できる。打球部の変形を抑制することで、スイングした時の風切り音の周波数を高くすることによってスイング感を向上することができることを発明者らは知得した。
【００１２】
上記のバドミントンラケットフレームでは、接続部分の最大径は本体部分の最大径よりも大きい寸法を有している。接続部分にはスイング時に大きな負荷がかかるため、スイング時に接続部分は変形しやすい。接続部分の最大径を本体部分の最大径よりも大きくすることによって接続部分の剛性を向上させることができる。このため、接続部分の変形を抑制できる。接続部分の変形を抑制することで、スイングした時の風切り音の周波数を高くすることによってスイング感を向上することができることを発明者らは知得した。
【発明の効果】
【００１３】
以上説明したように、本発明のバドミントンラケットフレームによれば、スイング感を向上することができる。
【図面の簡単な説明】
【００１４】
【図１】本発明の一実施の形態におけるバドミントンラケットフレームを概略的に示す正面図である。
【図２】本発明の一実施の形態におけるバドミントンラケットフレームを概略的に示す側面図である。
【図３】図１のＩＩＩ−ＩＩＩ線に沿う断面図である。
【図４】図１のＩＶ−ＩＶ線に沿う断面図である。
【図５】図１のＶ−Ｖ線に沿う断面図である。
【図６】図１のＶＩ−ＶＩ線に沿う断面図である。
【図７】図１のＶＩＩ−ＶＩＩ線に沿う断面図である。
【図８】図１のＶＩＩＩ−ＶＩＩＩ線に沿う断面図である。
【図９】図１のＩＸ−ＩＸ線に沿う断面図である。
【図１０】図１のＸ−Ｘ線に沿う断面図である。
【図１１】図１のＸＩ−ＸＩ線に沿う断面図である。
【図１２】図１のＸＩＩ−ＸＩＩ線に沿う断面図である。
【図１３】本発明の一実施の形態におけるバドミントンラケットフレームにガットが張られた状態を概略的に示す正面図である。
【図１４】本発明の一実施の形態におけるバドミントンラケットフレームの変形例を概略的に示す正面図である。
【図１５】本発明の一実施の形態におけるバドミントンラケットフレームの変形例を概略的に示す側面図である。
【図１６】図１４のＸＶＩ−ＸＶＩ線に沿う断面図である。
【図１７】図１４のＸＶＩＩ−ＸＶＩＩ線に沿う断面図である。
【図１８】図１４のＸＶＩＩＩ−ＸＶＩＩＩＶ線に沿う断面図である。
【図１９】図１４のＸＩＸ−ＸＩＸ線に沿う断面図である。
【発明を実施するための形態】
【００１５】
以下、本発明の実施の形態について図に基づいて説明する。なお、以下の図面において同一または相当する部分には同一の参照番号を付しその説明は繰り返さない。
【００１６】
最初に本発明の一実施の形態におけるバドミントンラケットフレームの構成について説明する。図１および図２を参照して、バドミントンラケットフレームは、打球部１と、シャフト部２と、グリップ部３とを主に有している。打球部１は先端１ａおよび後端１ｂを有している。打球部１の中心線Ｃは先端１ａと後端１ｂとを通っている。打球部１は平面視において中心線Ｃに対して線対称となるように形成されている。打球部１は平面視において環状に構成されている。つまり、打球部１は環状のフレーム部材で構成されている。打球部１にガットが配設されることにより打球面が構成される。また、打球部１の側面の一部には溝部Ａが設けられている。この溝部Ａにガットが配置されることによってガットの切断を抑制することができる。
【００１７】
シャフト部２は打球部１の後端１ｂに接続されている。シャフト部２の軸線は打球部１の中心線Ｃと一直線となるように配置されている。シャフト部２は打球部１とグリップ部３とを連結している。グリップ部３はシャフト部２に接続されている。グリップ部３はプレーヤーによって把持されるものである。
【００１８】
打球部１は、シャフト部２に接続された接続部分１１と、接続部分１１に接続された本体部分１２とを有している。接続部分１１はシャフト部２の近傍に配置されており、中心線Ｃを挟んで打球部１の形状に沿って延在している。接続部分１１は中心線Ｃと直交する方向に中心線Ｃからたとえば約１０ｍｍずつ延在している。接続部分１１は、打球部１の後端１ｂを有している。打球部１の後端１ｂは、シャフト部２を挟む打球部１の外形線を互いに中心線Ｃまで延在した仮想の線と中心線Ｃとの交点に配置されている。また、接続部分１１の最大径は本体部分１２の最大径よりも大きい寸法を有している。本体部分１２は接続部分１１の両端を繋ぐように構成されている。接続部分１１と本体部分１２とは一体的に連結されている。
【００１９】
打球部１は、平面視における本体部分１２の幅である正面幅Ｗと、側面視における本体部分１２の幅である側面幅Ｔとを有している。打球部１の全周の１０％以上の領域において、正面幅Ｗが６ｍｍ以上１０ｍｍ以下であり、側面幅Ｔが７ｍｍ以上１３ｍｍ以下であり、かつ正面幅Ｗに対する側面幅Ｔの比が０．７以上１．３以下であればよい。
【００２０】
具体的には、平面視における先端１ａおよび後端１ｂを通る打球部１の中心線Ｃの両側において先端１ａを０度とし後端１ｂを１８０度としたときに、０度から１５０度までの範囲において、正面幅Ｗが６ｍｍ以上１０ｍｍ以下であり、側面幅Ｔが７ｍｍ以上１３ｍｍ以下であり、かつ正面幅Ｗに対する側面幅Ｔの比が０．７以上１．３以下である。
【００２１】
また、中心線Ｃの両側において先端１ａを０度とし後端１ｂを１８０度としたときに、３０度から６０度までの範囲における正面幅Ｗおよび１２０度から１５０度の範囲における正面幅Ｗは０度における正面幅Ｗよりも大きい。
【００２２】
打球部１、シャフト部２およびグリップ部３は、たとえば繊維強化樹脂によって形成されている。また、打球部１、シャフト部２およびグリップ部３は、たとえば一体的に形成される管状構造を有していてもよい。グリップ部３はたとえば繊維強化樹脂により構成される筒状のベース部の外周をグリップレザーなどが巻回被覆した状態となっている。
【００２３】
図１３を参照して、バドミントンラケットフレームの打球部１にガットが張られることによりバドミントンラケットが構成されている。環状の打球部１の内周側に配設されたガットによって打球面が構成されている。
【００２４】
さらに図１〜図１１を参照して、本実施の形態のバドミントンラケットフレームの具体例について詳しく説明する。なお、図１および図２では見やすくするため寸法の単位が示されていないが、図１および図２に示す寸法の単位はｍｍである。また、以降の図においても同様に寸法の単位が示されていないが寸法の単位はｍｍである。図２は、図１のＩＶ−ＩＶ線〜ＶＩＩＩ−ＶＩＩＩ線に沿うそれぞれの断面位置に対応する寸法を示している。
【００２５】
図１および図２を参照して、バドミントンラケットフレームの全長は打球部１、シャフト部２およびグリップ部３の打球部１の中心線Ｃに沿う長さであって、打球部１の先端１ａからグリップ部３の後端までの距離であり、全長の寸法は６７５ｍｍである。また、バドミントンラケットフレームの最大幅は打球部１の中心線Ｃと直交する方向の最大の幅であり、最大幅の寸法は２０２ｍｍである。
【００２６】
図３は、図１のＩＩＩ−ＩＩＩ線に沿う打球部１の断面形状を示している。図１の２つのＩＩＩ−ＩＩＩ線に沿う断面で挟まれた部分は同一の断面形状を有している。つまり、打球部１の先端１ａから中心線Ｃと直交する方向に中心線Ｃから１４．３５ｍｍの位置までの断面形状は同一である。なお、断面までの距離は平面視における打球部１のフレーム部材の中心位置までの距離である。したがって、中心線Ｃと直交する方向に中心線Ｃから１４．３５ｍｍの位置とは、中心線Ｃと直交する方向に中心線Ｃから平面視における打球部１のフレーム部材の中心までの距離が１４．３５ｍｍの位置である。図３に示す断面形状では正面幅Ｗは６.５ｍｍであり、側面幅Ｔは８．２ｍｍである。正面幅Ｗに対する側面幅Ｔの比は１．２６である。また、図３に示すように側面に溝部Ａが設けられている。
【００２７】
図４は、図１のＩＶ−ＩＶ線に沿う打球部１の断面形状を示している。図１の２つのＩＶ−ＩＶ線に沿う断面で挟まれた部分は同一の断面形状を有している。つまり、図１および図２を参照して、打球部１の先端１ａ側において中心線Ｃと直交する方向に中心線Ｃから２９．１５ｍｍの位置から打球部１の先端１ａから後端１ｂに向かって９２．８０ｍｍの位置までの断面形状は同一である。図４に示す断面形状では正面幅Ｗは６.７ｍｍであり、側面幅Ｔは８．２ｍｍである。正面幅Ｗに対する側面幅Ｔの比は１．２２である。また、図４に示すように側面に溝部Ａが設けられている。
【００２８】
図５は、図１のＶ−Ｖ線に沿う打球部１の断面形状を示している。つまり、図１および図２を参照して、図５は打球部１の先端１ａから後端１ｂに向かって１１３．７０ｍｍの位置での断面形状を示している。図５に示す断面形状では正面幅Ｗは６.５ｍｍであり、側面幅Ｔは８．２ｍｍである。正面幅Ｗに対する側面幅Ｔの比は１．２６である。また、図４に示すように側面に溝部Ａが設けられている。
【００２９】
図６は、図１のＶＩ−ＶＩ線に沿う打球部１の断面形状を示している。図１の２つのＶＩ−ＶＩ線に沿う断面で挟まれた部分は同一の断面形状を有している。つまり、図１および図２を参照して、打球部１の先端１ａから後端１ｂに向かって１３２．１ｍｍの位置から１７５．５１ｍｍの位置までの断面形状は同一である。図６に示す断面形状では正面幅Ｗは６．９ｍｍであり、側面幅Ｔは８．９ｍｍである。正面幅Ｗに対する側面幅Ｔの比は１．２９である。
【００３０】
図７は、図１のＶＩＩ−ＶＩＩ線に沿う打球部１の断面形状を示している。図１の２つのＶＩＩ−ＶＩＩ線に沿う断面で挟まれた部分は同一の断面形状を有している。つまり、図１および図２を参照して、打球部１の先端１ａから後端１ｂに向かって１９２．８４ｍｍの位置から２３７．０４ｍｍの位置までの断面形状は同一である。図７に示す断面形状では正面幅Ｗは７．２ｍｍであり、側面幅Ｔは８．９ｍｍである。正面幅Ｗに対する側面幅Ｔの比は１．２４である。
【００３１】
図８は、図１のＶＩＩＩ−ＶＩＩＩ線に沿う打球部１の断面形状を示している。つまり、図１および図２を参照して、図８は打球部１の先端１ａから後端１ｂに向かって２４４．９０ｍｍの位置での断面形状を示している。図８に示す断面形状では正面幅Ｗは７．６４ｍｍであり、側面幅Ｔは８．９ｍｍである。正面幅Ｗに対する側面幅Ｔの比は１．１７である。
【００３２】
図９は、図１のＩＸ−ＩＸ線に沿う打球部１の断面形状を示している。また、図９は、図１１のＩＸ−ＩＸ線に沿う打球部１の断面形状を示している。つまり、図１および図２を参照して、図９は打球部１の後端１ｂ側において中心線Ｃと直交する方向に中心線Ｃから１８．７０ｍｍの位置での断面形状を示している。図９に示す断面形状では正面幅Ｗは８．０ｍｍであり、側面幅Ｔは９．４ｍｍである。正面幅Ｗに対する側面幅Ｔの比は１．１８である。
【００３３】
図１０は、図１のＸ−Ｘ線に沿う打球部１の断面形状を示している。また、図１０は、図１１のＸ−Ｘ線に沿う打球部１の断面形状を示している。つまり、図１０は打球部１の後端１ｂ側において中心線Ｃと直交する方向に中心線Ｃから１０．０６ｍｍの位置での断面形状を示している。図１０に示す断面形状では正面幅Ｗは８．５ｍｍであり、側面幅Ｔは９．９ｍｍである。正面幅Ｗに対する側面幅Ｔの比は１．１６である。打球部１の後端側において、Ｘ−Ｘ線に沿う断面から中心線Ｃ側の部分が接続部分１１を構成している。また中心線Ｃに対して線対称に接続部分１１は構成されている。
【００３４】
図１１は、図１のＸＩ−ＸＩ線に沿う打球部１の断面形状を示している。つまり、図１１は打球部１の先端１ａから後端１ｂに向かって２４８．３４ｍｍの位置での断面形状を示している。
【００３５】
図１２は、図１のＸＩＩ−ＸＩＩ線に沿う打球部１の断面形状を示している。つまり、図１２は中心線Ｃに沿う打球部１およびシャフト部２の断面形状を示している。
【００３６】
次に、本実施の形態におけるバドミントンラケットフレームの変形例について説明する。図１４および図１５を参照して、バドミントンラケットフレームの変形例の全長は６７５ｍｍである。図１５は、図４のＸＶＩ−ＸＶＩ線〜ＸＶＩＩＩ−ＸＶＩＩＩ線に沿うそれぞれの断面位置に対応する寸法を示している。
【００３７】
図１６は、図１４のＸＶＩ−ＸＶＩ線に沿う打球部１の断面形状を示している。図１６の２つのＸＶＩ−ＸＶＩ線に沿う断面で挟まれた部分は同一の断面形状を有している。つまり、図１４および図１５を参照して、打球部１の先端から、打球部１の先端１ａから後端１ｂに向かって２２８．２４ｍｍの位置までの断面形状は同一である。図１６に示す断面形状では正面幅Ｗは５．７ｍｍであり、側面幅Ｔは５．７ｍｍである。正面幅Ｗに対する側面幅Ｔの比は１．００である。
【００３８】
図１７は、図１４のＸＶＩＩ−ＸＶＩＩ線に沿う打球部１の断面形状を示している。つまり、図１４および図１５を参照して、図１７は打球部１の先端１ａから後端１ｂに向かって２４３．９０ｍｍの位置での断面形状を示している。図１７に示す断面形状では正面幅Ｗは６.２３ｍｍであり、側面幅Ｔは６．６ｍｍである。正面幅Ｗに対する側面幅Ｔの比は１．０６である。
【００３９】
図１８は、図１４のＸＶＩＩＩ−ＸＶＩＩＩ線に沿う打球部１の断面形状を示している。つまり、図１４および図１５を参照して、図１８は打球部１の先端１ａから後端１ｂに向かって２４４．１ｍｍの位置での断面形状を示している。図１８に示す断面形状では正面幅Ｗは７.４３ｍｍであり、側面幅Ｔは６．６ｍｍである。正面幅Ｗに対する側面幅Ｔの比は０．８９である。
【００４０】
図１９は、図１４のＸＩＸ−ＸＩＸ線に沿う打球部１の断面形状を示している。つまり、図１９は中心線Ｃに沿う打球部１およびシャフト部２の断面形状を示している。
【００４１】
次に、本実施の形態の作用効果について説明する。
本実施の形態のバドミントンラケットフレームでは、打球部１の全周の１０％以上の領域において、本体部分１２の正面幅Ｗが６ｍｍ以上１０ｍｍ以下であり、本体部分１２の側面幅Ｔが７ｍｍ以上１３ｍｍ以下であり、かつ正面幅Ｗに対する側面幅Ｔの比が０．７以上１．３以下である。これにより、スイングした時の風切り音の周波数を高くすることによってスイング感を向上することができることを発明者らは知得した。本体部分１２の正面幅Ｗおよび側面幅Ｔは、それぞれ６ｍｍ以上とすることが強度の面から好ましい。
【００４２】
また、本実施の形態のバドミントンラケットフレームでは、中心線Ｃの両側において先端１ａを０度とし後端１ｂを１８０度としたときに、０度から１５０度までの範囲において、正面幅Ｗが６ｍｍ以上１０ｍｍ以下であり、側面幅Ｔが７ｍｍ以上１３ｍｍ以下であり、かつ正面幅Ｗに対する側面幅Ｔの比が０．７以上１．３以下である。これにより、スイングした時の風切り音の周波数を高くすることによってスイング感を向上することができることを発明者らは知得した。
【００４３】
また、ガットが張られた打球部１では、中心線Ｃの両側において４５度付近および１３５度付近の部分に応力が大きく作用するため、これらの四隅の部分において打球部１が変形しやすい。本実施の形態のバドミントンラケットフレームでは、中心線Ｃの両側において３０度から６０度までの範囲における正面幅Ｗおよび１２０度から１５０度の範囲における正面幅Ｗを０度における正面幅よりも大きくすることで、これらの範囲の剛性を向上させることができる。なお、ここで剛性とは曲げなどの外力に対して寸法変化の小さいことを意味している。これにより、変形しやすい四隅の部分の剛性を向上させることによって、打球部１の変形を効果的に抑制できる。打球部１の変形を抑制することで、スイングした時の風切り音の周波数を高くすることによってスイング感を向上することができることを発明者らは知得した。
【００４４】
また、本実施の形態のバドミントンラケットフレームでは、接続部分１１の最大径は本体部分１２の最大径よりも大きい寸法を有している。接続部分１１にはスイング時に大きな負荷がかかるため、スイング時に接続部分１１は変形しやすい。接続部分１１の最大径を本体部分１２の最大径よりも大きくすることによって接続部分１１の剛性を向上させることができる。このため、接続部分１１の変形を抑制できる。接続部分１１の変形を抑制することで、スイングした時の風切り音の周波数を高くすることによってスイング感を向上することができることを発明者らは知得した。
【実施例】
【００４５】
以下、本発明の実施例について比較例と対比して説明する。
まず、比較例１、比較例２、実施例１および実施例２について、スイング感の官能評価を行った。このスイング感の官能評価では、被験者が実際に比較例１、比較例２、実施例１および実施例２のバドミントンラケットフレームを３回ずつスイングしてスイング感を評価した。スイング感は周波数応答関数における最高音圧を示す周波数によって規定される。被験者は周波数が高いほうが振り抜きを良く感じる。
【００４６】
比較例１、比較例２、実施例１および実施例２のバドミントンラケットフレームをスイングした時の、音圧が最大になる風切り音の周波数を分析した。具体的には、まず次のように風切り音を測定した。シャトルインパクト想定位置を設定し、被験者がシャトルインパクト想定位置を通過するようにバドミントンラケットフレームをスイングした。この際、集音機をシャトルインパクト想定位置と同じ高さで５０ｃｍ離して設置し、スイング開始から終了までの音をＴＡＳＣＡＭ社製ポータブルステレオオーディオレコーダーＨＤ−Ｐ２に記録した。続いて、録音した風切り音の周波数を分析した。具体的には、録音されたスイング音を、ブリュエル・ケアー社製Ｓｏｕｎｄ  ｑｕａｌｉｔｙ  Ｔｙｐｅ  ７６９８  ｖｅｒ．１２．６．０でＦＦＴ（高速フーリエ変換）分析し、音圧が最大になる周波数を算出した。
【００４７】
実施例１は、図１〜図１２に示す構成を備えたバドミントンラケットフレームである。実施例２は、図１４〜図１９に示す構成を備えたバドミントンラケットフレームである。
【００４８】
比較例１は実施例１と形状が異なるバドミントンラケットフレームである。具体的には、比較例１では、バドミントンラケットフレームの打球部の本体部分の正面幅が６ｍｍ以上６．６ｍｍ以下であり、側面幅が１１．７ｍｍ以上１１．９６ｍｍ以下である。正面幅に対する側面幅の比は１．７８以上１．９５以下である。さらに具体的には、比較例１においては、図３に対応する断面形状では正面幅が６ｍｍであり、側面幅が１１．７ｍｍである。正面幅に対する側面幅の比は１．９５である。また、比較例１では、図６に対応する断面形状では正面幅が６．４ｍｍであり、側面幅が１１．７ｍｍである。正面幅に対する側面幅の比は１．８３である。
【００４９】
比較例２は実施例１と形状が異なるバドミントンラケットフレームである。具体的には、比較例２では、バドミントンラケットフレームの打球部の本体部分の正面幅が５．８ｍｍ以上７．１ｍｍ以下であり、側面幅が９．６ｍｍ以上１０．２ｍｍ以下である。正面幅に対する側面幅の比は１．４４以上１．６８以下である。さらに具体的には、比較例２においては、図３に対応する断面形状では正面幅が５．８ｍｍであり、側面幅が９．６ｍｍである。正面幅に対する側面幅の比は１．６６である。また、比較例２においては、図６に対応する断面形状では正面幅が５．９ｍｍであり、側面幅が９．９ｍｍである。正面幅に対する側面幅の比は１．６８である。
【００５０】
【表１】
2015008890.tif 000003
【００５１】
表１のＦＦＴ分析周波数は最大音圧を示した周波数を示したものであり、４０９６ｈｚ、８１９２ｈｚはサンプリング数の頻度を示すものである。また、官能評価について、○はスイング感が良いとの評価を示し、△はスイング感が普通であるとの評価を示し、×はスイング感が悪いとの評価を示している。
【００５２】
表１を参照して、実施例１および実施例２の官能評価はスイング感が良いとの評価であり、比較例１はスイング感が悪いとの評価であり、比較例２はスイング感が普通であるとの評価であった。これにより、実施例１および実施例２は比較例１および比較例２に比べてスイング感の評価が高いことがわかった。そして、実施例１および実施例２は比較例１および比較例２よりもスイングした時の風切り音の周波数を高くすることによってスイング感を向上することができることを発明者らは知得した。
【００５３】
さらに、比較例１、比較例２、実施例１および実施例２について、複数の被験者によってスイング感の官能評価を行った。
【００５４】
このスイング感の官能評価では、比較例１、比較例２、実施例１および実施例２のバドミントンラケットフレームを４人の被験者が３回ずつスイングしてスイング感を評価した。
【００５５】
【表２】
2015008890.tif 000004
【００５６】
表２を参照して、実施例１および実施例２の官能評価は被験者１〜４のすべてのスイングについてスイング感が良いとの評価であった。一方、比較例１の官能評価は被験者１〜４のすべてのスイングについてスイング感が悪いとの評価であった。また比較例２の官能評価は被験者２および３はすべてのスイングについてスイング感が悪いとの評価であった。被験者１は１回目および３回目のスイングではスイング感が悪いとの評価であり、２回目のスイングではスイング感が普通であるとの評価であった。被験者４は１回目および３回目のスイングではスイング感が悪いとの評価であり、２回目のスイングではスイング感が良いとの評価であった。
【００５７】
これにより、複数の被験者が評価した場合でも実施例１および実施例２は、比較例１および比較例２に比べてスイング感の評価が良いということがわかった。
【００５８】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００５９】
１  打球部、１ａ  先端、１ｂ  後端、２  シャフト部、３  グリップ部、１１  接続部分、１２  本体部分、Ａ  溝部、Ｃ  中心線、Ｔ  側面幅、Ｗ  正面幅。
【図１】
2015008890.tif 000005
【図２】
2015008890.tif 000006
【図３】
2015008890.tif 000007
【図４】
2015008890.tif 000008
【図５】
2015008890.tif 000009
【図６】
2015008890.tif 000010
【図７】
2015008890.tif 000011
【図８】
2015008890.tif 000012
【図９】
2015008890.tif 000013
【図１０】
2015008890.tif 000014
【図１１】
2015008890.tif 000015
【図１２】
2015008890.tif 000016
【図１３】
2015008890.tif 000017
【図１４】
2015008890.tif 000018
【図１５】
2015008890.tif 000019
【図１６】
2015008890.tif 000020
【図１７】
2015008890.tif 000021
【図１８】
2015008890.tif 000022
【図１９】
2015008890.tif 000023